(57)【要約】【課題】移動可能の水洗便所を提供すること。【解決手段】移動可能の水洗便所は、汚物保持基台４と、該汚物保持基台上に設けられていて水洗便器２を埋設した給水タンク１３と、前記汚物保持基台上に設置されていて前記水洗便器から前記汚物保持基台内へ汚物を輸送するための第１ダイアフラムポンプ６と、前記汚物保持基台上に設置されていて前記給水タンクから前記水洗便器へ水を輸送するための第２ダイアフラムポンプ７と、前記第１ダイアフラムポンプと前記第２ダイアフラムポンプを同時に作動させ得る足踏みペダル８とを備えている。【選択図】図１
2016041901.tif 000002
【特許請求の範囲】
【請求項１】
汚物保持基台と、該汚物保持基台上に設けられていて水洗便器を埋設した給水タンクと、前記汚物保持基台上に設置されていて前記水洗便器から前記汚物保持基台内へ汚物を輸送するための第１ダイアフラムポンプと、前記汚物保持基台上に設置されていて前記給水タンクから前記水洗便器へ水を輸送するための第２ダイアフラムポンプと、前記第１ダイアフラムポンプと前記第２ダイアフラムポンプを同時に作動させ得る足踏みペダルとを備えた移動可能な水洗便所。
【請求項２】
前記給水タンクの外側に設置されていて、前記水洗便器と前記第１ダイアフラムポンプとの間を連通させている汚物入り口管と、前記第２ダイアフラムポンプと前記給水タンクとの間を連通させている給水入り口管と、前記第２ダイフラムポンプに接続された給水出口管とを挿通支持するフレームカバーを更に備えた請求項１に記載の移動可能な水洗便所。
【請求項３】
前記給水出口管が、蓄えられた水を送るため前記水洗便器の内側に挿入された給水弁と、前記第２ダイアフラムポンプとの間に接続されている、請求項１は２に記載の移動可能な水洗便所。
【請求項４】
前記給水タンクの一部が、外側から前記給水タンク内へ水を入れるためのフリップフロップカバーを備えた水路である、請求項１乃至３の何れかに記載の移動可能な水洗便所。
【請求項５】
汚物保持基台には、汚物放出路又は汚物出口が設けられている、請求項１乃至４の何れかに記載の移動可能な水洗便所。
【請求項６】
汚物保持基台の上部及び側部には、フリップフロップドアとなるべき一側を除いて壁が設けられている、請求項１乃至５の何れかに記載の移動可能な水洗便所。
【発明の詳細な説明】
【技術分野】
【０００１】
本発明は、足踏みペダルにより駆動されるダイアフラムポンプを備えた移動可能の水洗便所に関するものである。
【背景技術】
【０００２】
普通の水洗便器付きバスルームは、組立ての容易さと組立時間の短縮の目的で、組立て式の部品として供給される水洗便器や隔壁等の浴室部品からなっている。
また、普通の水洗便所は、水洗便器の上方に、水洗後洗浄水を安定水位に制御するため内部にフロートボールを備えた便器用タンクを設けていて、簡単に移動できるようには構成されていない。
【０００３】
これに対し、特許文献１に記載のように、移動可能な水洗便所は既に提案されているが、これらは何れも比較的高価であるという問題点がある。
【先行技術文献】
【特許文献】
【０００４】
【特許文献１】特開２０１０−２２２８６９号公報
【発明の概要】
【発明が解決しようとする課題】
【０００５】
本発明は、係る問題点に鑑みてなされたものであり、汚物を送るダイアフラムポンプと、給水のためのダイアフラムポンプと、機械的に操作される足踏みペダルとを支持する基台から成る、足踏みペダルにより駆動される二つのダイアフラムポンプ装置を備えた移動可能の水洗便所を特徴とする。足踏みペダルからの押圧力は、パイプを介して貯水される給水タンクを備えた水洗便器内の汚物を吸引することによって汚物を輸送するダイフラムポンプへ、機械的に伝達される。水洗後、汚物を輸送するダイフラムポンプは、パイプを介して、汚物を汚物保持基台の中へ送る。同様に、足踏みペダルから、パイプを介して貯蔵されるべき給水タンクに水を輸送するダイアフラムポンプへ、押圧力が伝達される。但し、水洗後、水を輸送するダイアフラムポンプは、汚れを清掃するため、パイプを介して水洗便器の内側へ水を送るであろう。
【０００６】
本発明の目的は、水洗便器の洗浄と汚物を流すための水を送る、足踏みペダルにより駆動される二つのダイアフラムポンプを備えた、比較的廉価に構成し得る、移動可能の水洗便所を提供することにある。
【課題を解決するための手段】
【０００７】
上記目的を達成するために、本発明による移動可能の水洗便所は、汚物保持基台と、該汚物保持基台上に設けられていて水洗便器を埋設した給水タンクと、前記汚物保持基台上に設置されていて前記水洗便器から前記汚物保持基台内へ汚物を輸送するための第１ダイアフラムポンプと、前記汚物保持基台上に設置されていて前記給水タンクから前記水洗便器へ水を輸送するための第２ダイアフラムポンプと、前記第１ダイアフラムポンプと前記第２ダイアフラムポンプを同時に作動させ得る足踏みペダルとを備えたことを特徴とする。
【０００８】
また、本発明による移動可能な水洗便所は、前記給水タンクの外側に設置されていて、前記水洗便器と前記第１ダイアフラムポンプとの間を連通させている汚物入り口管と、前記第２ダイアフラムポンプと前記給水タンクとの間を連通させている給水入り口管と、前記第２ダイフラムポンプに接続された給水出口管とを挿通支持するフレームカバーを更に備えたことを特徴とする。
【０００９】
また、本発明による移動可能の水洗便所は、前記給水出口管が、蓄えられた水を送るため前記水洗便器の内側に挿入された給水弁と、前記第２ダイアフラムポンプとの間に接続されていることを特徴とする。
【００１０】
また、本発明による移動可能の水洗便所は、前記給水タンクの一部が、外側から前記給水タンク内へ水を入れるためのフリップフロップカバーを備えた水路であることを特徴とする。
【００１１】
また、本発明による移動可能の水洗便所は、汚物保持基台に、汚物放出路又は汚物出口が設けられていることを特徴とする。
【００１２】
また、本発明による移動可能の水洗便所は、汚物保持基台の上部及び側部に、フリップフロップドアとなるべき一側を除いて壁が設けられていることを特徴とする。
【発明の効果】
【００１３】
本発明によれば、使用後の便器の洗浄及び汚物の貯留槽への輸送を、電力を使用することなく使用者による足踏みペダルの操作により確実に行うことが出来るから、設置場所に制限を受けることなく、極めて便利に使用し得る、移動可能の水洗便所を提供することが出来る。また、便所全体は、上部及び周囲が壁で包囲されているから、使用者のプライバシーは完全に守られ、使用勝手の良い移動可能の便所を提供することが出来る。
【図面の簡単な説明】
【００１４】
【図１】本発明による移動可能の水洗便器の斜視図である。
【図２】本発明による水洗便器の水洗装置部分の斜視図である。
【発明を実施するための形態】
【００１５】
以下、本発明の実施の態様を図示した実施例に基づき説明する。
図１は、本発明に係る足踏みペダルにより作動するダブルダイフラムポンプ装置を備えた移動可能の水洗便所の一実施例を示している。この便所は、給水タンク３と一体の水洗便器２を使用した後、汚物を洗い流して汚物保持基台４内に貯めるように水を流すため、足踏みペダルにより作動するダブルダイアフラムポンプを備えた水洗装置１から成る。
【００１６】
足踏みペダルによって作動されるダブルダイアフラムポンプを備えた水洗装置１は、汚物保持基台４上または汚物を送るダイフラムポンプ６の止め具を支持するベース上に取付けられた固定構造物を有する固定基板５と、給水用ダイアフラムポンプ７と、力伝達機構付き足踏みペダル８とから構成されている。
【００１７】
汚物を流すダイフラムポンプ６は、力伝達機構付き足踏みペダル８により直接操作されるか、或いは、力伝達機構付き足踏みペダル８から伝達された（図示しない）力伝達機構に連結することができる。
【００１８】
そして、汚物を流すダイフラムポンプ６の一部は、汚物の入り口管９の一端に接続されていて、汚物の入り口管９の他端を水洗便器２の汚物出口管１０に連結させて、水洗便器２からの汚物をダイアフラムポンプ６に蓄えるようにしている。
【００１９】
また、汚物を流すダイアフラムポンプ６の他の部分は汚物出口管１１の一端に接続され、汚物保存基台４の内側に汚物出口管１１の他端を接続して、ダイフラムポンプ６に蓄えられていた汚物を汚物保持基台４内へ送ることが出来るようになっている。
【００２０】
また、給水用ダイアフラムポンプ７は、力伝達機構付き足踏みペダル８から伝達される（図示しない）力伝達機構により直接操作され得る。
【００２１】
また、給水用ダイアフラムポンプ７の一部は、給水入り口管１２の一端に接続されており、給水入り口管１２の他端は、給水用ダイアフラムポンプ７に蓄えられるべき水を吸引するため、給水タンク１３に接続されている。
【００２２】
また、洗浄水を送るダイアフラムポンプ７の他の部分は、給水出口管１４の一端に接続されており、給水出口１４の他端は水洗便器２の内側に挿入されるか、又は使用後水洗便器２内の汚物を清掃するため貯水を流す給水タンク３と一体の衛生陶器の水洗便器２内に挿入されている給水弁１５に接続されている。
【００２３】
また、力伝達機構付き足踏みペダル８は、そこから汚物を運ぶダイアフラムポンプ６に使用者の押圧力を直接伝達するか又はその押圧力を（図示しない）連結された力伝達機構へ伝達して、そこから汚物を送るダイアフラムポンプ６と給水用ダイアフラムポンプ７へ力を伝達する、ポンプ固定基板５に取付けられた踏み板パッドである。
【００２４】
また、足踏みペダル８により駆動されるダブルダイアフラムポンプを備えた水洗装置においては、足踏みペダル８によって駆動されるダブルダイアフラムポンプを備えた水洗装置が破損するのを防止し且つ汚物入り口管９，汚物出口管１１，給水入り口管１２又は給水出口管１４を挿通支持するため、外側がフレーム１６によって覆われるのが良い。
【００２５】
また、給水タンク１３と一体の衛生陶器３は、要求量の水を蓄えるため、汚物保持基台４の上に置かれた中空の給水タンク１３からなる。
【００２６】
給水タンク１３の一部は、外部から給水タンク１３へ水を輸送するためのフリップフロップカバー１７を備えた水路となっている。
【００２７】
また、給水タンク１３の他の部分には、便座即ち便器シート１８を有する使用者が座るための蓋１９付きの水洗便器２が埋め込まれている。
【００２８】
また、中空の給水タンク１３の内側にある水洗便器２の汚物出口管１０は、汚物を運ぶダイアフラムポンプ６へ汚物を輸送るため、汚物入り口管９の一端に接続されている。
【００２９】
また、給水タンク１３の他端は給水入り口管１２に接続されて、給水用ダイアフラムポンプ７に蓄えられるべき水を供給するようになっている。
【００３０】
水洗便器２の内側には、使用後水洗便器２内の汚物を洗い流すため、給水用ダイアフラムポンプ７に蓄えられた水を送るための給水出口管１４が挿入されているか、或いは、給水出口管１４に水洗便器２の内側にある給水弁１５が接続されている。
【００３１】
汚物保持基台４は、足踏みペダル１により駆動される給水用ダイアフラムポンプ７を有する水洗装置と、内部に蓄えられるべき汚物を流すため汚物出口管１１の一端の連結を支持するための給水タンク１３と一体の衛生陶器３との設備を支持するために使用される中空の基台である。
【００３２】
汚物保持基台４の一部には汚物放出路２０があるか、或いは、その汚物放出路２０は汚物保持基台４から汚物を放出する下水管２１に接続されている。
【００３３】
また、汚物保持基台４の頂部及び側部には、壁とフリップフロップドアを備えた便所を画成するため、フリップフロップドア２４を設けるための側縁２３を有する壁部分を除いて、壁２２が設けられている。
【００３４】
図２には、本発明による足踏みペダル１により駆動されるダブルダイフラムポンプを備えた水洗装置の配管部分が拡大図示されている。固定基板５は、汚物を運ぶダイアフラムポンプ６と、給水用ダアフラムポンプ７と、力伝達機構付き足踏みペダル８を取り付けるのに役立てられている。
【００３５】
力伝達機構付き足踏みペダル８は、汚物を送るダイアフラムポンプ６に力を直接伝達するための使用者のペダルの踏み込みを支援するか、又はその踏み込みの力を（図示しない）力伝達機構へ伝達して汚物を送るダイアフラムポンプ６と給水用ダイアフラムポンプ７とを作動させる。
【００３６】
また、汚物入り口管９の他端は、ダイアフラムポンプ６に在る水洗便器２からの汚物を送るため、水洗便器の汚物出口管１０に接続されている。
【００３７】
また、汚物出口管１１の他端は、汚物を運ぶダイアフラムポンプ６内に在る汚物を、汚物保持基台４内に蓄えるべく送るため、汚物保持基台４の内側に接続されている。
【００３８】
また、給水入り口管１２の他端は、給水用ダイアフラムポンプ７に蓄えられるべき水を吸引するため、衛生陶器３と一体の給水タンク１３の内側に接続されている。
【００３９】
また、給水出口管１４の他端は、水洗便器２内へ挿入されているか、或いは、使用後水洗便器２の内側にある汚物を洗い流すため蓄えた水を給送するための給水タンクと一体の衛生陶器の水洗便器２内へ挿入されている給水弁１５に接続されている。
【００４０】
本発明によれば、足踏みペダルによって駆動されるダブルダイフラムポンプ装置を備えた移動可能の水洗便所の作用は、簡単に説明すると次の通りである。即ち、水洗便器２内に出された汚物は、足踏みペダル８を踏み込むことによって、汚物入り口管９を経てダイアフラムポンプ６内に吸い込まれて、除去される。そして、水洗便器２は、給水用ダイフラムポンプ７から給水出口管１４を経て押し出される水によって、洗浄される。
【００４１】
そして、足踏みペダル８から足を離してダイフラムポンプ６が元の状態に戻る過程で、該ポンプ６内に在る汚物は運ばれ、汚物出口１１を経て汚物保持基台４内へ送られて、蓄えられる。
【００４２】
これと同時か又は殆ど同時に、力伝達機構を備えた足踏みペダル８を踏み込むことによって生じた力は、給水入り口管１２を介して給水用ダイアフラムポンプ７内に蓄える水を、給水タンク１３から吸い込むことを可能にするように伝達される。しかしながら、給水用ダイフラムポンプ７の復元後は、該ポンプ７内に蓄えられた水は、給水出口管１４を介して水洗便器２を洗浄するため送られるであろう。
【符号の説明】
【００４３】
１          水洗装置
２          便器
３          衛生陶器
４          汚物保持基台
５          固定基板
６          汚物輸送用ダイアフラムポンプ
７          給水用ダイフラムポンプ
８          力伝達機構付き足踏みペダル
９          汚物入り口管
１０，１１  汚物出口管
１２        給水入り口管
１３        給水タンク
１４        給水出口管
１５        給水弁
１６        フレームカバー
１７        フリップフロップカバー
１８        便座
１９        フリップフロップ式蓋
２０        汚物放出路
２１        下水管
２２        壁
２３        側縁
２４        フリップフロップドアー
【図１】
2016041901.tif 000003
【図２】
2016041901.tif 000004